【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】
デジタル動画像データの画像再生装置であって、
第１のフレームレートで画像を再生するように指示する第１の指示手段と、
前記第１のフレームレートよりも高い第２のフレームレートで画像を再生するように指示する第２の指示手段と、
前記第２のフレームレートによる再生が指示されている場合に、前記デジタル動画像データが示す各フレーム画像の一部を選択する選択手段と、
前記選択手段により選択された一部に対応するデジタル動画像データを表示用に再生処理する処理手段と、
前記処理手段で再生処理された表示画像データを、表示周波数が変更可能なディスプレイ上で表示させる表示処理手段と
を有することを特徴とする画像再生装置。
【請求項２】  
デジタル動画像データの画像再生装置であって、
第１のフレームレートで画像を再生するように指示する第１の指示手段と、
前記第１のフレームレートよりも高い第２のフレームレートで画像を再生するように指示する第２の指示手段と、
前記第２のフレームレートによる再生が指示されている場合に、前記デジタル動画像データが示す各フレーム画像について、表示用に再生処理するか否かを判断する判断手段と、
前記判断手段により再生処理すると判断されたフレーム画像の一部を選択する選択手段と、
前記選択手段により選択された一部に対応するデジタル動画像データを表示用に再生処理する処理手段と、
前記処理手段で再生処理された表示画像データを、表示周波数が変更可能なディスプレイ上で表示させる表示処理手段と
を有することを特徴とする画像再生装置。
【請求項３】
前記選択手段は、所定周期で選択する部分を変更することを特徴とする請求項１又は２に記載の画像再生装置。
【請求項４】
前記選択手段は、前記第１のフレームレートに対する前記第２のフレームレートの倍率の略逆数となる割合で、各フレーム画像から画像の一部を選択することを特徴とする請求項１に記載の画像再生装置。
【請求項５】
前記判断手段は、前記ディスプレイの表示周波数情報に応じて、前記デジタル動画像データが示す各フレーム画像の内、再生処理するフレーム画像を判断することを特徴とする請求項２に記載の画像再生装置。
【請求項６】
前記判断手段は、前記第２のフレームレートに対する、再生した画像を表示する前記ディスプレイの最大表示可能フレームレートの率と略同一の率となるように、デジタル動画像データが示すフレーム画像の内、再生処理するフレーム画像を判断することを特徴とする請求項５に記載の画像再生装置。
【請求項７】
前記選択手段は、前記第１のフレームレートに対する前記ディスプレイの最大表示可能フレームレートの倍率の略逆数となる割合で、前記再生処理するフレーム画像から画像の一部を選択することを特徴とする請求項６に記載の画像再生装置。
【請求項８】
前記デジタル動画像データは、画像を複数領域に分割した各分割領域毎のデータであって、前記選択手段は、各フレーム画像について選択する分割領域を決定することを特徴とする請求項１乃至７のいずれかに記載の画像再生装置。
【請求項９】
前記第１のフレームレートは、前記画像再生装置が処理可能な最大処理フレームレートであることを特徴とする請求項１乃至８のいずれかに記載の画像再生装置。
【請求項１０】
前記第１のフレームレートは、通常の再生を行う場合のフレームレートであることを特徴とする請求項１乃至８のいずれかに記載の画像再生装置。
【請求項１１】
前記処理手段は、前記第１のフレームレートのときは画像と音声を再生処理し、前記第２のフレームレートのときは画像のみを再生処理することを特徴とする請求項１乃至１０のいずれかに記載の画像再生装置。
【請求項１２】
前記第１のフレームレートまたは前記第２のフレームレートで再生された画像の出力手段を更に有し、
前記出力手段から出力される出力画像のフレームレートに従って、前記表示処理手段は前記ディスプレイの表示周波数を設定させることを特徴とする請求項１乃至１１のいずれかに記載の画像再生装置。
【請求項１３】
デジタル動画像データの画像再生装置であって、
第１のフレームレートで画像を再生するように指示する第１の指示手段と、
前記第１のフレームレートよりも高い第２のフレームレートで画像を再生するように指示する第２の指示手段と、
前記第２のフレームレートによる再生が指示されている場合に、前記デジタル動画像データが示す各フレーム画像の符号化データの一部を選択する選択手段と、
前記選択手段により選択された一部に対応するデジタル動画像データを表示用に再生処理する処理手段と
を有することを特徴とする画像再生装置。
【請求項１４】
前記選択手段は、コードブロック単位で前記符号化されたデータの一部を選択することを特徴とする請求項１３に記載の画像再生装置。
【請求項１５】
前記選択手段は、プリシンクト単位で前記符号化されたデータの一部を選択することを特徴とする請求項１３に記載の画像再生装置。
【請求項１６】
前記選択手段は、レイヤー単位で前記符号化されたデータの一部を選択することを特徴とする請求項１３に記載の画像再生装置。
【請求項１７】
デジタル動画像データの画像再生方法であって、
第１のフレームレートまたは前記第１のフレームレートよりも高い第２のフレームレートで画像を再生する指示を受ける指示工程と、
前記第２のフレームレートによる再生が指示されている場合に、前記デジタル動画像データが示す各フレーム画像の一部を選択する選択工程と、
前記選択工程で選択された一部に対応するデジタル動画像データを表示用に再生処理する処理工程と、
前記処理工程で再生処理された表示画像データを、表示周波数が変更可能なディスプレイ上で表示させる表示処理工程と
を有することを特徴とする画像再生方法。
【請求項１８】
デジタル動画像データの画像再生方法であって、
第１のフレームレートまたは前記第１のフレームレートよりも高い第２のフレームレートで画像を再生する指示を受ける指示工程と、
前記第２のフレームレートによる再生が指示されている場合に、前記デジタル動画像データが示す各フレーム画像について、表示用に再生処理するか否かを判断する判断工程と、
前記判断工程で再生処理すると判断されたフレーム画像の一部を選択する選択工程と、
前記選択工程で選択された一部に対応するデジタル動画像データを表示用に再生処理する処理工程と、
前記処理工程で再生処理された表示画像データを、表示周波数が変更可能なディスプレイ上で表示させる表示処理工程と
を有することを特徴とする画像再生方法。
【請求項１９】
前記選択工程では、前記第１のフレームレートに対する前記第２のフレームレートの倍率の略逆数となる割合で、各フレーム画像から画像の一部を選択することを特徴とする請求項１７に記載の画像再生方法。
【請求項２０】
前記判断工程では、前記ディスプレイの表示周波数情報に応じて、前記デジタル動画像データが示す各フレーム画像の内、再生処理するフレーム画像を判断することを特徴とする請求項１８に記載の画像再生方法。
【請求項２１】
前記デジタル動画像データは、画像を複数領域に分割した各分割領域毎のデータであって、前記選択工程では、各フレーム画像について選択する分割領域を決定することを特徴とする請求項１７乃至２０のいずれかに記載の画像再生方法。
【請求項２２】
デジタル動画像データの画像再生方法であって、
第１のフレームレートまたは前記第１のフレームレートよりも高い第２のフレームレートで画像を再生する指示を受ける指示工程と、
前記第２のフレームレートによる再生が指示されている場合に、前記デジタル動画像データが示す各フレーム画像の符号化データの一部を選択する選択工程と、
前記選択工程で選択された一部に対応するデジタル動画像データを表示用に再生処理する処理工程と
を有することを特徴とする画像再生方法。
【請求項２３】
情報処理装置が実行可能なプログラムであって、前記プログラムを実行した情報処理装置を、請求項１乃至１６のいずれかに記載の画像再生装置として機能させることを特徴とするプログラム。
【請求項２４】
請求項１７乃至２２のいずれかに記載の画像再生方法を実現するためのプログラムコードを有する情報処理装置が実行可能なプログラム。
【請求項２５】
請求項２３又は２４に記載のプログラムを記憶した記憶媒体。
【手続補正２】
【補正対象書類名】明細書
【補正対象項目名】００５７
【補正方法】変更
【補正の内容】
【００５７】
復号フレームデータ出力部２１０６は、復号タイルデータをi=0,...,M-1の順番で並べた上で復号フレームデータを生成し、復号フレーム出力部２００４に出力する。（ステップＳ２５０９）。
【手続補正３】
【補正対象書類名】明細書
【補正対象項目名】００９５
【補正方法】変更
【補正の内容】
【００９５】
次に、処理したパケットの数を示すカウンタ(counter)を０にセットし（ステップＳ３３０４）、先頭のパケットのパケットヘッダの解析を行う（ステップＳ３３０５）。このパケットヘッダの解析では、パケット内における各コードブロックの符号長を取得し、パケットヘッダの先頭に対する必要コードブロックの位置、並びにパケットヘッダの先頭に対する次のパケットの先頭の位置を求める。この求めた情報から、必要コードブロックの先頭にアクセスし、必要コードブロックを取得し（ステップＳ３３０６）、エントロピー復号部２１０３より後段の各処理部により復号する（ステップＳ３３０７）。
【手続補正４】
【補正対象書類名】明細書
【補正対象項目名】０１１０
【補正方法】変更
【補正の内容】
【０１１０】
図３７において、ステップＳ３７０１は、フレーム符号化データを構成するＭ個のパケットの内、高速再生に必要となるパケット（必要パケット）を決定する。ここで、必要パケットとは、図３８において網掛けで示すプリシンクトに属するパケットのことである。ステップＳ３７０２では、処理対象のパケットが、ステップＳ３７０１で決定された必要パケットであるか否かを判断する。必要パケットである場合（ステップＳ３７０２でＹＥＳ）、ステップＳ３３０５に進んで、以下第３の実施形態で説明した処理を行う。一方、必要パケットでない場合（ステップＳ３７０２でＮＯ）、ステップＳ３３０８に進んでパケットの番号を示すカウンタ値をＭ‐１と比較して、Ｍ‐１より小さければステップＳ３３０９にでカウンタ値を１増加させた上でステップＳ３７０２に戻り、Ｍ‐１以上であれば、ステップＳ３３１０に進む。
【手続補正５】
【補正対象書類名】図面
【補正対象項目名】図３３
【補正方法】変更
【補正の内容】
【図３３】
2004056761.tif 000001